(57)【要約】  本発明は、送信機から非接触トランスポンダに送信される搬送波信号を位相変調する方法と、その方法を実施する装置とに関する。本方法によると、データは、連続したシンボル（Ｓｎ−１、Ｓｎ）の形に符号化され、各シンボルは、所定の数の搬送波サイクルに対応し、搬送波信号の２サイクル以上のシンボル時間（Ｔｓ）を有する。そして、送信機において、１つのシンボルには、シンボル時間の第１の部分（１１）に亘って、先行するシンボルに対する位相ジャンプが施され、位相ジャンプの確立は、シンボル時間の第１の部分（１１）の間に完了する。サイクルの周期は、シンボル時間の第２の部分に亘って一定である。【選択図】図１
2013529871.tif 000002
【特許請求の範囲】
【請求項１】
送信機から非接触トランスポンダに送信される搬送波信号の位相変調法であって、データは、連続したシンボル（Ｓn-1、Ｓn）の形に符号化され、各シンボルは、所定の数の搬送波サイクルに対応し、前記搬送波信号の２サイクル以上のシンボル時間（Ｔs）を有する位相変調法において、
前記送信機において、先行するシンボルに対するシンボルの位相ジャンプは、前記シンボル時間の第１の部分（１１）に亘って分散され、前記位相ジャンプの確立は、前記シンボル時間の第１の部分（１１）の中で完了し、前記サイクルの周期は、前記シンボル時間の第２の部分に亘って一定であることを特徴とする位相変調法。
【請求項２】
前記位相変調法は、少なくとも４位相状態、特に、４または８位相状態を備えていることを特徴とする、請求項１に記載の位相変調法。
【請求項３】
送信されるべき２つの連続したシンボルの間の前記位相ジャンプが、所定の閾値より大きい場合には、位相ジャンプの部分は、前記シンボル時間の第１の部分（１１）の中で、送信されるべき前記シンボルの少なくとも２搬送波サイクルに施され、前記位相ジャンプの部分の合計は、前記２つの連続したシンボルの間の位相ジャンプと等しいことを特徴とする、請求項１または２に記載の位相変調法。
【請求項４】
２つの連続したシンボルの間の前記位相ジャンプの閾値は、π／４であることを特徴とする、請求項３に記載の位相変調法。
【請求項５】
位相ジャンプの部分は、π／４以下であることを特徴とする、請求項３または４に記載の位相変調法。
【請求項６】
前記位相ジャンプの部分は、全てが同じ値であることを特徴とする、請求項３〜５のいずれか１項に記載の位相変調法。
【請求項７】
前記位相ジャンプの部分は、前記送信されるべきシンボルの第１の搬送波サイクルに連続して設けられていることを特徴とする、請求項３〜６のいずれか１項に記載の位相変調法。
【請求項８】
前記位相ジャンプの部分は、前記送信されるべきシンボルの立ち上がりエッジに設けられていることを特徴とする、請求項３〜７のいずれか１項に記載の位相変調法。
【請求項９】
前記位相ジャンプとして、前記信号およびその微係数は、前記シンボル時間の前記第１の部分に亘って、連続的に変化していることを特徴とする、請求項１または２に記載の位相変調法。
【請求項１０】
シンボル時間（Ｔs）は、４または８搬送波サイクルと等しいことを特徴とする、請求項１〜９のいずれか１項に記載の位相変調法。
【請求項１１】
シンボル時間（Ｔs）の第１の部分（１１）は、シンボル時間（Ｔs）の７５％以下の継続時間を有することを特徴とする、請求項１〜１０のいずれか１項に記載の位相変調法。
【請求項１２】
２つの連続したシンボルの間の最大位相ジャンプは、厳密にπより小さいことを特徴とする、請求項１〜１１のいずれか１項に記載の位相変調法。
【請求項１３】
送信機から非接触トランスポンダに送信する搬送波信号の位相変調装置（５０）であって、連続したシンボル（Ｓn-1、Ｓn）の形をしたデータを符号化する手段（５２）を備え、各シンボルは、所定の数の搬送波サイクルに対応し、前記搬送波信号の２サイクル以上のシンボル時間（Ｔs）を有する位相変調装置（５０）において、
前記データ符号化手段（５２）は、２つの連続したシンボル（Ｓn-1、Ｓn）の間の位相ジャンプを、前記送信機の上で、先行するシンボルに対するシンボルの位相ジャンプを、前記シンボル時間の第１の部分（１１）に亘って分散させるようにして施し、前記位相ジャンプの確立は、前記シンボル時間の第１の部分（１１）の中で完了し、前記サイクルの周期は、前記シンボル時間の第２の部分に亘って一定とするように構成されていることを特徴とする位相変調装置。
【請求項１４】
位相変調は、少なくとも４位相状態、特に４または８位相状態を備えていることを特徴とする、請求項１３に記載の位相変調装置。
【請求項１５】
データ符号化手段（５２）は、送信されるべき２つの連続したシンボルの間の前記位相ジャンプが、所定の閾値より大きい場合には、位相ジャンプの部分を、前記送信されるべきシンボルの少なくとも２搬送波サイクルに施すように構成されていることを特徴とする、請求項１３または１４に記載の位相変調装置。
【請求項１６】
２つの連続したシンボル（Ｓn-1、Ｓn）の間の前記位相ジャンプの閾値は、π／４であることを特徴とする、請求項１５に記載の位相変調装置。
【請求項１７】
位相ジャンプの部分は、π／４以下であることを特徴とする、請求項１５または１６に記載の位相変調装置。
【請求項１８】
前記位相ジャンプの部分は、全てが同じ値であることを特徴とする、請求項１５〜１７のいずれか１項に記載の位相変調装置。
【請求項１９】
前記データ符号化手段（５２）は、前記位相ジャンプの部分を、前記送信されるべきシンボルの第１の搬送波サイクルに、連続して施すように構成されていることを特徴とする、請求項１５〜１８のいずれか１項に記載の位相変調装置。
【請求項２０】
前記データ符号化手段は、前記位相ジャンプ部分を、前記送信されるべきシンボルの立ち上がりエッジに施すように構成されていることを特徴とする、請求項１５〜１９のいずれか１項に記載の位相変調装置。
【請求項２１】
前記データ符号化手段（５２）は、位相状態の全範囲をカバーするために、位相ジャンプの部分を搬送波信号に施すセル（５４）と、入力として、前記搬送波信号と、移相した搬送波信号と、符号化されるべきデータとを受信するマルチプレクサ（５６）と、マルチプレクサ（５６）を制御する多重化制御ユニット（６０）とを備えていることを特徴とする、請求項１５〜２０のいずれか１項に記載の位相変調装置。
【請求項２２】
前記データ符号化手段（５２）は、前記位相ジャンプとして、前記信号およびその微係数を、シンボル時間（Ｔs）の第１の部分（１１）に亘って、連続的に変化させるように構成されていることを特徴とする、請求項１３または１４に記載の位相変調装置。
【請求項２３】
前記データ符号化手段は、前記シンボル時間の第１の部分（１１）における前記搬送波の周波数変化によって動作する位相スリップモジュール（８０）を備えていることを特徴とする、請求項２２に記載の位相変調装置。
【請求項２４】
シンボル時間（Ｔs）は、４または８搬送波サイクルと等しいことを特徴とする、請求項１３〜２３のいずれか１項に記載の位相変調装置。
【請求項２５】
シンボル時間（Ｔs）の第１の部分（１１）は、シンボル時間（Ｔs）の７５％以下の継続時間を有することを特徴とする、請求項１３〜２４のいずれか１項に記載の位相変調装置。
【請求項２６】
２つの連続したシンボルの間における位相ジャンプの合計の最大値は、厳密にπより小さいことを特徴とする、請求項１３〜２５のいずれか１項に記載の位相変調装置。
【発明の詳細な説明】
【技術分野】
【０００１】
本発明は、概説すると、読み取り機（または、固定基地局）と、読み取り機から放射される電磁界の中に置かれた非接触トランスポンダ（カード、タグ）との間のデータ交換において、搬送波信号を位相変調する技術に関する。
【０００２】
更に具体的には、本発明は、送信機から非接触トランスポンダに送信される搬送波信号を位相変調する方法、およびこの方法を実施する装置に関する。
【背景技術】
【０００３】
電子無線周波数識別（ＲＦＩＤ）システムは、その応用分野が、広い範囲に広がってきている。
【０００４】
事実、このシステムは、目的物、動物、または人の識別、位置判定、あるいは追尾のため（アクセスカード、通行料金、電子パスポート等）に、今日では、広範囲に使用されている。
【０００５】
本発明は、広義の、読み取り機、および、例えばタグまたはカード等の支持体の中に組み込まれたトランスポンダに関している。本発明は、遠隔で給電を受けるトランスポンダ、すなわち、データを送信するための自分自身のエネルギー源を有していないトランスポンダ、また、自分自身のエネルギー源を有するトランスポンダであっても、エネルギー源が障害を起こしており、また、例えば、劣化モードで動作し、そのために、遠隔で給電を受ける必要があるトランスポンダにも関する。
【０００６】
読み取り機は、基地局であると考えられ、搬送波（近距離交番磁界）を生成し、この搬送波は、読み取り機のアンテナ近傍に置かれた非接触カードに電力を供給する役目を有している。これは、遠隔給電と呼ばれる。更に、この搬送波は、カードの種々のブロックの動作に対するクロックを供給する。最後に、搬送波は、読み取り機からカードへ、またカードから読み取り機への通信を搬送する役目を担っている。
【０００７】
基地局とトランスポンダとの間の情報の交換では、読み取り機からカードへの行路（基地局は送信機機能を有する）と、カードから読み取り機への行路（基地局は受信機機能を有する）とは、区別されている。
【０００８】
この交換は、例えば、ＩＳＯ１４４４３標準で設定されている制約／規定に従っている。ＩＳＯ１４４４３標準は、特に、読み取り機と非接触カードとの間で行う通信に関して、変調のタイプ、符号化のタイプ、更にビットレートを規定している。このビットレートは、現在では、１０６〜８４８ｋｂ／ｓの間にある。
【０００９】
現在、このビットレートをＭｂ／ｓ以上にすることが提案されている。
【００１０】
これが容認されるためには、これらの拡張は、極力、現行の標準規格との互換性を有しなければならない。事実、製造業者は、既に設備してある読み取り機の構成に対して、変更は最小であることを望んでいる。
【００１１】
別の制約は、欧州勧告ＥＲＣ−７０−０３、および／またはＥＴＳ３００−３３０に準拠しなければならない磁界放射に関係している。
［現状技術］
【００１２】
ＩＳＯ１４４４３標準を満足している非接触トランスポンダは、非常に高い頻度で遠隔給電を行う。すなわち、非接触トランスポンダは、読み取り機によって生成される磁界からエネルギーを得ている。この動作モードは、強制ではないが、ＩＳＯ１４４４３送信機（読み取り機）は、カードに対する遠隔給電ができるように、１．５〜７．５Ａ／ｍのレベルの磁界を供給しなければならないということに注目する必要がある。
【００１３】
この磁界は、通信チャネルとしての役割を担う。すなわち、この磁界は、読み取り機からカードへ（この方向は往路と呼ばれる）、またカードから読み取り機へ（復路と呼ばれる）、情報を転送するための支持媒体である。
【００１４】
磁界は、一般的に、１つ以上のループでできているアンテナを流れる１３．５６ＭＨｚのＲＦ電流によって生成される。このアンテナは、電気的には、ＲＬＣタイプの共振回路としてモデル化することができ、中心周波数ｆc、品質係数Ｑによって特徴付けられ、限られた帯域幅ＢＰを有する。関係式は、次式のようになる。
ｆc＝１／（２π√ＬＣ）、Ｑ＝（Ｌ×２πｆc）／Ｒ、そして、ＢＰ＝ｆc／Ｑ
【００１５】
読み取り機によって供給される電力を好適に使用するためには、抵抗Ｒを最小にすることにより、アンテナの中での損失を低減することが望ましい。この場合には、品質係数Ｑは高くなるが、それにより、チャネルの帯域幅が限定されてしまうという効果がある。
【００１６】
ＩＳＯ１４４４３標準の現行のビットレートに対しては、このことは問題にならない。
【００１７】
しかしながら、目的が送信ビットレートを増加させることである場合には、チャンネルの帯域幅を広くする必要があり、従って、送信アンテナの品質係数は、低下させなければならず、これにより、トランスポンダからの電力供給は減少する。
【００１８】
従って、非常に高いビットレートの場合には、送信チャンネルの帯域幅の選択は、遠隔給電と送信ビットレートとの間のトレードオフによって決まる。
【００１９】
ビットレートを増加させるための第１の策は、次の表に示すＩＳＯ１４４４３標準に現在記載されている変調、および符号化のタイプを守りつつ、１ビットの継続時間を短くすることであると考えられる。これを次の表に示す。
【表１】
2013529871.tif 000003
【００２０】
品質係数は、急速に低下して、現行の読み取り機から得られる電力に適合する遠隔給電を考えることは、不可能になってしまうということが分かる。
【００２１】
帯域幅を過剰に増加させることなく、バイナリビットレートを増加させるために、マルチレベル変調の考え方が導入されている。各レベルは、１つのシンボルに対応している。
【００２２】
この手法では、１つのシンボルは、複数のビットを符号化することができ、従って、バイナリビットレートは、シンボル毎の、その複数のビットと、そのシンボルの継続時間とに関係している。シンボルの継続時間は、信号に必要な帯域幅を決定し、その帯域幅は、レベルの数には依存しない。
【００２３】
バイナリビットレート＝ｌｏｇ2（シンボルの数）／シンボル継続時間である。
【００２４】
例えば、４状態、従って４シンボルがあるとすれば、８＊Ｔcのシンボル毎に、２ビットの符号化が可能であり、搬送波を１３．５６ＭＨｚと仮定すると、ビットレートは、３．４Ｍｂ／ｓになる。
【００２５】
非接触カードに関わる別の問題は、動作距離である。この動作距離は、一般的に０〜５ｃｍであり、これは、アンテナ間の結合係数ｋの変化が、チャネル帯域幅の変化を伴うことを意味している。
【００２６】
従って、磁界振幅の変化範囲は非常に広く、これにより、非接触カード側の振幅復調が非常に複雑化し、更に、ＩＳＯ１４４４３標準に対して最も論理的に繋がっていると考えられるシンボル毎に、複数のビットを符号化できるマルチレベル振幅復調を複雑なものにしてしまう。
【００２７】
基地局の磁界の変調方式が、搬送波の異なる位相状態を使用する、位相ジャンプ変調（または、ＰＳＫ：ｐｈａｓｅ  ｓｈｉｆｔ  ｋｅｙｉｎｇ）の方向に向かって考えられているのは、この理由によるものである。
【００２８】
この提案されている変調方式は、それでも、いくつかの欠点を有する。
【００２９】
実際には、位相変調は、シンボルが変化する時に、チャネル帯域幅に関わり、間接的にスプリアス振幅変調を誘起する。これらの振幅変調は、非接触カードの中にある復調器の判別能力を劣化させる可能性がある。スプリアス振幅変調は、非接触カードにおけるクロックの損失または遠隔給電の損失を引き起こすまでに至る可能性がある。
【００３０】
遠隔給電を受けるトランスポンダに対しては、これは、送信チャネルの損失と等価であり、従って、送信チャネルは、再確立される必要があり、これにより、通信時間が大幅に長くなるということに注意する必要がある。極端な場合には、情報を送信することができなくなり、送信機とトランスポンダとの間の通信に障害が生ずることになる。
【００３１】
また、位相変調は、送信スペクトラムを分散し、非常に強いサイドローブを生成し、これにより、勧告ＥＲＣ７０−０３無線伝送標準に準拠できない状況に陥る可能性がある。
【００３２】
図１は、８＊Ｔc（Ｔc＝１／ｆcであり、ｆcは搬送波周波数で、例えば１３．５６ＭＨｚである）に等しい長さを有する、２つのシンボルｎ−１およびｎの連続したレベルを例として示した場合の時間経緯図である。これら２つの間の位相差は、３π／４である。簡単にするために、シンボルｎ−１の１サイクルだけと、シンボルｎの５サイクルが示されている。
【００３３】
矢印１で示されている頂部は、従来技術による遷移を示している。
【００３４】
シンボルｎ−１からシンボルｎへの遷移の時には、低レベル３は延長され、シンボルｎの最初の立ち上がりエッジ５は、先行するシンボルのエッジに対して、−３π／４だけ直接に移相されているということが分かる。
【００３５】
従って、重要なこの位相ジャンプは、遠隔給電、クロック再生、および欧州勧告ＥＲＣ−７０−０３、および／またはＥＴＳ３００−３３０の準拠に対する問題を提起している。
【発明の概要】
【発明が解決しようとする課題】
【００３６】
本発明の目的は、上記した欠点を、少なくとも部分的には克服することができるように、最適化された位相変調法を提供することである。
【課題を解決するための手段】
【００３７】
この目的のために、本発明は、送信機から非接触トランスポンダへ送信される搬送波信号の位相変調を行う方法を提案するものである。本発明の方法は、データは、連続するシンボルの形に符号化され、各シンボルは、所定の数の搬送波サイクルに対応し、搬送波信号の２サイクル以上のシンボル時間を有する。本発明の方法は、送信機においては、シンボルの位相ジャンプは、先行するシンボルに対して、シンボル時間の第１の部分に亘って分散されており、位相ジャンプの確立は、シンボル時間の第１部分で完了し、サイクルの周期は、シンボル時間の第２の部分に亘って一定であるということを特徴としている。
【００３８】
この方法は、更に、次に示す特徴を、単独または組み合わせで有することができる。
−  送信されるべき２つの連続したシンボルの間の位相ジャンプが、所定の閾値より大きい場合には、位相ジャンプの一部分が、シンボル時間の第１の部分の中で、送信されるべきシンボルの少なくとも２搬送波サイクルに施され、位相ジャンプの部分の合計は、２つの連続したシンボルの間の位相ジャンプと等しい。
−  ２つの連続したシンボルの間における位相ジャンプの閾値は、π／４である。
−  位相ジャンプの部分は、π／４以下である。
−  位相ジャンプの部分は、全て同じ値である。
−  位相ジャンプの部分は、送信されるべきシンボルの第１の搬送波サイクルに、連続して施される。
−  位相ジャンプの部分は、送信されるべきシンボルの立ち上がりエッジに施される。
−  位相ジャンプとして、信号およびその微係数は、シンボル時間の第１の部分に亘って、連続的に変化する。
−  シンボル時間は、４または８搬送波サイクルと等しい。
−  シンボル時間の第１の部分は、シンボル時間の７５％以下の継続時間を有する。
−  ２つの連続したシンボルの間の最大位相ジャンプは、厳密にπより小さい。
【００３９】
本発明の別の主題は、送信機から非接触トランスポンダへ送信される搬送波信号を位相変調するのための装置であり、この装置は、連続したシンボルの形をしたデータを符号化する手段を備えている。連続した各シンボルは、所定の数の搬送波サイクルに対応し、搬送波信号の２サイクル以上のシンボル時間を有している。この装置では、前記データ符号化手段は、先行するシンボルに対するシンボルの位相ジャンプを、送信機の所で、シンボル時間の第１の部分に亘って分散することにより、２つの連続したシンボルの間の位相ジャンプを施すように構成されている。また、位相ジャンプの確立は、シンボル時間の第１の部分で完了し、サイクルの周期は、シンボル時間の第２の部分に亘って一定であることを特徴としている。
【００４０】
更に、この装置は、次に示す特徴を、単独または組み合わせで備えることができる。
−  データ符号化手段は、送信されるべき２つの連続したシンボルの間における位相ジャンプが、所定の閾値よりより大きい場合には、位相ジャンプの一部分を、送信されるべきシンボルの少なくとも２搬送波サイクルに施すように構成されている。
−  ２つの連続したシンボルの間の位相ジャンプの閾値は、π／４である。
−  位相ジャンプの部分は、π／４以下である。
−  位相ジャンプの部分は、全てが同じ値である。
−  前記データ符号化手段は、位相ジャンプの部分を、送信されるべきシンボルの第１の搬送波サイクルに、連続して施すようになっている。
−  前記データ符号化手段は、位相ジャンプの部分を、送信されるべきシンボルの立ち上がりエッジに施すようになっている。
−  前記データ符号化手段は、位相状態の全範囲をカバーするように、位相ジャンプの部分を搬送波信号に施すためのセルと、入力として、搬送波信号と、移相した搬送波信号と、符号化されるべきデータとを受信するマルチプレクサと、マルチプレクサを制御する多重化制御ユニットとを備えている。
−  前記データ符号化手段は、位相ジャンプとして、信号およびその微係数を、シンボル時間の第１の部分に亘って、連続的に変化させるようになっている。
−  前記データ符号化手段は、位相スリップモジュールを備え、この位相スリップモジュールは、シンボル時間の第１の部分に亘る、搬送波周波数の変化によって動作する。
−  シンボル時間は、４または８搬送波サイクルと等しい。
−  シンボル時間の第１の部分は、シンボル時間の７５％以下の継続時間を有する。
−  ２つの連続したシンボルの間の最大合計位相ジャンプは、厳密にπより小さい。
【００４１】
他の利点および特徴は、以下の本発明の実施態様に関する記述、および以下に示す図によって明らかになると思う。
【図面の簡単な説明】
【００４２】
【図１】従来技術による、２つのシンボルの間における遷移と、本発明の方法による、２つのシンボルの間における遷移とを示す時間経緯図である。
【図２】本発明による方法における位相状態コンステレーション図である。
【図３】位相ジャンプによって誘起される理論的な電磁界放射スペクトラムを示す図である。
【図４】第１の実施形態による方法を実行するための位相変調装置を単純化した図である。
【図５】位相変調装置の１つの変形を単純化した図である。
【図６】第２の実施形態における位相変調装置を単純化した図である。
【図７】図６に示す装置の動作を説明するための時間経緯図である。
【発明を実施するための形態】
【００４３】
全ての図において、同一の要素には、同一の符号を付してある。
【００４４】
本明細書においては、「シンボル」という用語は、データ符号化アルファベットの要素を意味している。１つのシンボルは、例えば、０１１等の３ビットのセットで表すことができる。
【００４５】
まず、送信機から非接触トランスポンダに送信される搬送波信号を位相変調する方法について説明する。この方法では、十分で、かつ高いデータ速度を有するように、データは、所定の数の搬送波サイクルを有する、連続したシンボルの形に符号化される。
【００４６】
この位相変調法は、少なくとも４つの位相状態、特に、４つまたは８つの位相状態を備えている。
【００４７】
本明細書の場合には、送信機は、基地局、例えば非接触カード読み取り機である。
【００４８】
非接触トランスポンダとしては、遠隔で給電を受けるトランスポンダ、また、自分自身の電力源（例えば、電池）を有するトランスポンダであっても、ある特定な場合、または電力源に障害があり、電力源なしで動作させなければならないトランスポンダも含まれる。トランスポンダは、タグまたはカード等の支持体の中に組み込むこともできる。
【００４９】
シンボル時間Ｔsを、例えば、シンボル毎のサイクル数によって定義すると、搬送波信号の位相変調は、搬送波信号が固定シンボル時間Ｔsを有する場合と、可変シンボル時間Ｔsを有する場合との両方が含まれる。
【００５０】
シンボルの継続時間、すなわちシンボル時間Ｔsは、２搬送波信号サイクル以上であり、例えば、３、４、または８搬送波サイクルである。ここで、搬送波信号は、周波数ｆc＝１３．５６ＭＨｚとしており、現行の状況、特にＩＳＯ１４４４３標準に対する互換性を有するように単純化している。
【００５１】
本発明の基本的な考え方は、２つのシンボルの間における位相ジャンプによる望ましくない影響を極力低減しつつ、高いデータ速度を可能にすることである。これは、１つのシンボルの、それに先行するシンボルに対する位相ジャンプを、シンボル時間の第１の部分に亘って分散し、位相ジャンプの確立は、シンボル時間の第１の部分で完了し、サイクルの周期は、特に、信号の復調と復号とを可能にするために、シンボル時間の第２の部分に亘って一定にすることにより行うことができる。
【００５２】
図１に戻って説明する。図１において、従来技術に関することは前に説明したので、下の部分の矢印１０で示されている本発明の一例を示す遷移に関して説明する。
【００５３】
この図から分かるように、シンボルｎの第１の部分１１における、シンボルｎ−１からシンボルｎへの遷移では、シンボルｎの最初の３つの低レベル１２は、−π／４だけ延長され、従って、第４の立ち上がりエッジ１４だけが、先行するシンボルｎ−１のエッジに対して−３π／４だけ移相されている。これにより、シンボルのこの時間間隔における「周波数」は、低下する（ここでは、例えば０．８７５ｆcである）。従って、位相ジャンプの確立は、シンボル時間の第１の部分１１の間で完了する。
【００５４】
従って、シンボルｎの第２の部分１３の間で、位相ジャンプの合計−３π／４が確立され、これにより、信号の復調および復号が可能になる。サイクルの周期は、シンボル時間の第２の部分に亘って一定であることが分かる。
【００５５】
従って、先行するシンボルに対する１つのシンボルの重要な位相ジャンプの部分が、連続した搬送波サイクルに亘って分散されているということが分かる。
【００５６】
これは、例として、図２のコンステレーション図に示されている。図２には、４つの位相状態π／２、π／４、０、および−π／４と、また矢印１５によって、１つの位相状態から別の位相状態へ切り替えるためのルールが示されている。
【００５７】
従って、位相ジャンプが±π／４から行われる場合には、位相ジャンプは、次のシンボルの第１の搬送波サイクルに直接に施される。
【００５８】
しかしながら、２つの連続したシンボルの間の位相ジャンプが所定の閾値より大きい（例えばπ／４より大きい）場合には、位相ジャンプの部分（例えば、π／４の位相ジャンプ）は、シンボルの第１の部分１１の中で、送信されるべきシンボルの少なくとも２搬送波サイクルに施され、位相ジャンプの部分の合計が、２つの連続したシンボルの間の位相ジャンプに等しくなるようにする。
【００５９】
この図では、位相状態０からπ／２への切り替えは、+π／４の２つの連続したジャンプで行っているということが分かる。
【００６０】
また、π／２から−π／４への切り替えは、−π／４の３つの連続したジャンプ（３＊（−π／４）＝−３π／４）で行うことができる。
【００６１】
位相の切り替え動作を起動するための、２つの連続したシンボルの間の位相ジャンプ閾値としては、π／４が望ましいということが分かった。
【００６２】
図３は、π、π／２、π／４、およびπ／８の位相ジャンプによって誘起される電磁波放射スペクトラムと共に、ＥＴＳ勧告３００−３３０のマスクを示す。図３から分かるように、π／４以下（例えば、π／８）の位相ジャンプの部分によって位相ジャンプを行うことにより、これらの勧告で規定されている制約を満足させることができる。
【００６３】
上記したように、位相ジャンプの部分は、全てが同じ値の±π／４である。
【００６４】
２つのシンボルの間における位相ジャンプの合計を極力迅速に確立するためには、位相ジャンプの部分を、送信されるべきシンボルの第１の搬送波サイクルに、連続して施すことが必要である。
【００６５】
位相ジャンプの部分を施すことができる、シンボルの第１の部分１１は、シンボル時間の７５％以下の継続時間を有することが望ましいということが分かる。
【００６６】
例えば、シンボルが８＊Ｔcの継続時間を有する場合には、位相ジャンプの部分は、最初の６サイクルに施し、これにより、２つのシンボルの間における位相ジャンプの合計は、最後の２サイクルの間に確立される。
【００６７】
π／２の状態から−３π／８の状態への切り替えに対して、例えば、８位相状態π／２、３π／８、π／４、π／８、０、−π／８、−π／４、および−３π／８が存在する場合には、シンボルの第１の搬送波サイクルに第１の位相ジャンプの部分−π／４を施し、次に、次の５つのサイクルに位相ジャンプの部分−π／８を施し、合計の位相ジャンプを−７π／８にすることができる。
【００６８】
欧州勧告に更に容易に準拠することができるためには、２つの連続したシンボル間における位相ジャンプの合計の最大値が、厳密にπより小さい変調方式であることが望ましい。
【００６９】
図４は、上記で述べた方法を実施するための第１の実施形態における、送信機から非接触トランスポンダに送信するための位相変調装置５０を単純化した図である。
【００７０】
この位相変調装置５０は、所定の数の搬送波サイクルを有する、連続したシンボルの形のデータを符号化する手段５２を備えている。この場合のシンボルの継続時間は、２搬送波サイクル以上である。
【００７１】
この符号化手段５２は、２つの連続したシンボルの間の位相ジャンプを、シンボルの第１の部分に亘って分散し、位相ジャンプの確立は、シンボル時間の第１の部分の中で完了し、サイクルの周期は、シンボル時間の第２の部分に亘って一定とするように構成されている。
【００７２】
更に詳細に言えば、これらの手段５２は、移相セル５４を備えている。
【００７３】
周波数ｆc＝１３．５６ＭＨｚの搬送波信号は、第１の移相セル５４の入力に接続され、搬送波の位相をΔφ＝Ｔc／ｎ（ｎは移相セルの数）だけシフトさせる。正および負の移相を得るために、基準位相は、習慣的に、移相器のチェーンの中央に置かれる。
【００７４】
ｎ＝８の場合には、第１のセルは、位相状態が−３π／４にある搬送波を供給する。各移相セルは、マルチプレクサ５６の入力と、別の移相セル５４の入力とに接続されている。
【００７５】
図４から分かるように、縦続に接続された移相セル５４は、選択されたコンステレーション図（例えば、図２のコンステレーション）に従った種々の位相状態に対応する搬送波を、マルチプレクサ５６の対応する入力に供給する。このようにして、位相状態の全範囲がカバーされる。
【００７６】
位相比較器５８は、入力として、移相がないと考えられる基準搬送波信号と、πだけ移相された搬送波信号とを受信し、その出力信号を移相セル５４の制御入力に供給する。
【００７７】
マルチプレクサ５６はまた、データ入力を備えている。多重化制御ユニット６０は、入力として、マルチプレクサ５６の送信出力を受信し、このマルチプレクサ５６の、対応する入力に制御信号を供給する。この制御ユニット６０は、マルチプレクサ５６から入力する搬送波を選択し、その搬送波は、送信出力Ｔｘとして送信される。
【００７８】
従って、送信されるべき２つの連続したシンボルの間の位相ジャンプが、所定の閾値（例えば、π／４）より大きい場合には、制御ユニット６０は、先行するシンボルで送信された搬送波から、到達するべき搬送波に、シンボルの第１の部分１１の中で、中間位相状態を通って漸次切り替えて行く。
【００７９】
図４の構成は、位相ジャンプ部分がπ／４に等しい場合の例を示す。しかし、π／４より小さい値（例えば、π／８）を選択することも可能である。
【００８０】
符号化手段５２は、送信されるべきシンボルの第１のエッジに、位相ジャンプの部分を連続して施すように構成されている。
【００８１】
図５は、図４に示す変調装置の１つの変形例を示す。
【００８２】
この変形例は、搬送波が、周波数ｎ＊ｆc（ｎは移相セルの数）の信号から、分周器７０を使用して再生されるという事実によって、図４に示す装置とは区別されている。それ以降は、以前と同様に、搬送波は、Δφ＝Ｔc／ｎの移相セル５４を構成するＤフリップフロップによって、連続して論理的に移相される。
【００８３】
本発明の方法の別の実施形態は、「アナログモード」と呼ばれる。アナログモードでは、前に述べたように、位相ジャンプを、位相ジャンプの部分として、Δφずつ離散的に分散させて行うのではなくて、信号とその微係数を、シンボルの第１の部分１１に亘って連続的に変化させる。位相ジャンプの確立は、シンボル時間の第１の部分１１の中で完了し、サイクルの周期は、シンボル時間の第２の部分１３に亘って一定である。これは、位相スリップと呼ばれる。
【００８４】
この実施形態は、図６に示す位相変調装置で実現することができる。
【００８５】
この場合には、データ符号化手段５２は、位相スリップモジュール８０を備えている。この位相スリップモジュール８０は、シンボル時間の第１の部分における搬送波周波数の変化によって動作する。
【００８６】
この位相スリップモジュール８０は、入力として、データ、シンボル開始信号（「Ｔｏｐ  Ｓｙｍｂ」）、および搬送波信号（例えば、１３．５６ＭＨｚにおける）を受信する
【００８７】
この搬送波信号および位相スリップモジュール８０の出力信号Ｍｏｄは、周波数変調器８２の入力に供給され、周波数変調器８２は、その出力から送信されるべき信号Ｔｘを出力する。
【００８８】
図７は、２つの連続したシンボルＳn-1およびＳnの時間経緯図を示す。この図によって、図６に示す装置の動作を説明することができる。
【００８９】
第１の線９０は、シンボル開始同期信号（「Ｔｏｐ  Ｓｙｍｂ」）を示し、第２の線９２は、位相スリップモジュール８０の出力信号を示す。
【００９０】
第３の線９４は、周波数変調器８２の入力における搬送波信号ＯＳＣを示し、第４の線９６は、周波数変調器８２の出力Ｔｘを示す。
【００９１】
２つのシンボルＳn-1およびＳnのそれぞれに対して、第１の部分１１は、線Ｍｏｄの上におけるランプ（ｒａｍｐ）の形状から判別することができる。このランプは、達成するべき位相ジャンプの合計量に応じて、立ち上がり、または立ち下がりのランプ形状をしている。またこのランプは、シンボル時間の第２の部分１３の中で、最終的な位相状態に到達するまでの搬送波周波数の変化を表している。
【００９２】
従って、本発明によって、遠隔給電を維持することができ、また更に、クロックの供給と、データ速度の最適化を行うことができるということが分かると思う。
【符号の説明】
【００９３】
１  従来技術における遷移
３  従来技術における低レベル
５  第１の立ち上がりエッジ
１０  本発明における遷移
１１  シンボルの第１の部分
１２  本発明における低レベル
１３  シンボルの第２の部分
１４  第４の立ち上がりエッジ
１５  位相状態の切り替えルール
５０  位相変調装置
５２  符号化手段
５４  移相セル
５６  マルチプレクサ
５８  位相比較器
６０  多重化制御ユニット
７０  分周器
８０  位相スリップモジュール
８２  周波数変調器
９０  第１の線
９２  第２の線
９４  第３の線
９６  第４の線
【図１】
2013529871.tif 000004
【図２】
2013529871.tif 000005
【図３】
2013529871.tif 000006
【図４】
2013529871.tif 000007
【図５】
2013529871.tif 000008
【図６】
2013529871.tif 000009
【図７】
2013529871.tif 000010
【国際調査報告】
2013529871.tif 000011
2013529871.tif 000012
2013529871.tif 000013
2013529871.tif 000014